(57)【要約】【課題】反りプレートが湾曲変形した際に、打音が発生しないランバーサポート装置を提供することを課題とする。【解決手段】  着座者の背部を支持するシートバックに設けられるシートバックフレーム７と、シートバックフレームに支持される反りプレート２３と、反りプレート２３の湾曲の度合いを変える駆動機構と、反りプレート２３に沿って設けられ、反りプレート２３と共に湾曲する補強プレート１０１と、を有し、反りプレート２３は、補強プレート１０１の一方の端部を保持する保持部２３ｃ、２３ｌと、補強プレート１０１の他方の端部側の反りプレート２３に対する移動を許容するガイド（非干渉部）２３ｐ、２３ｑとを有する。【選択図】図１
2014094597.tif 000002
【特許請求の範囲】
【請求項１】
着座者の背部を支持するシートバックに設けられるシートバックフレームと、
該シートバックフレームに支持される反りプレートと、
該反りプレートの湾曲の度合いを変える駆動機構と、
反りプレートに沿って設けられ、前記反りプレートと共に湾曲する補強プレートと、
を有し、
前記反りプレートは、
前記補強プレートの一方の端部を保持する保持部と、
前記補強プレートの他方の端部側の前記反りプレートに対する移動を許容する非干渉部と
を有することを特徴とするランバーサポート装置。
【発明の詳細な説明】
【技術分野】
【０００１】
本発明は、着座者の背部を押圧し、着座者の正しい姿勢をサポートするランバーサポート装置に関する。
【背景技術】
【０００２】
車両用のシートには、ランバーサポート装置を有するものがある。
【０００３】
一般に、ランバーサポート装置は、反りプレートと呼ばれるプレートを湾曲させ、着座者の背部を押圧し、着座者の姿勢をサポートしている。
【０００４】
そして、反りプレートの形状保持のために、帯状の補強プレートを設ける場合がある。補強プレートの反りプレートへの取り付けは、反りプレートに溝を形成し、この溝内に、補強プレートを配置している。更に、補強プレートには、所定の部分に貫通した穴が形成され、溝の底部には、補強プレートの穴に遊嵌する凸部が形成され、補強プレートは、溝の長手方向に沿う移動が禁止されている。  更に、溝の開口には、補強プレートの溝の開口からの離脱を禁止する押さえが形成されている（例えば、特許文献１参照）。
【先行技術文献】
【特許文献】
【０００５】
【特許文献１】米国特許6,712,427号明細書
【発明の開示】
【発明が解決しようとする課題】
【０００６】
しかし、特許文献１に記載されたランバーサポート装置では、反りプレートの弾性率と補強プレートの弾性率とが異なるので、両者は完全に追従して湾曲することができない。よって、反りプレートが湾曲すると、補強プレートは反りプレートに対し相対移動しようとする。しかし、反りプレート反りプレートの溝の長手方向の移動が禁止されているので、補強プレートは長手方向に圧縮される。そして、圧縮が進むと、補強プレートは、圧縮が解除される方向に急激に変形し、反りプレートに強く当たり、音（打音）が発生する問題点がある。
【０００７】
本発明は、上記問題点に鑑みてなされたもので、その課題は、反りプレートが湾曲変形した際に、打音が発生しないランバーサポート装置を提供することにある。
【課題を解決するための手段】
【０００８】
上述した課題のうち少なくとも一つを実現するために、本発明の一側面を反映したランバーサポート装置は、
着座者の背部を支持するシートバックに設けられるシートバックフレームと、
該シートバックフレームに支持される反りプレートと、
該反りプレートの湾曲の度合いを変える駆動機構と、
前記反りプレートに設けられ、前記反りプレートと共に湾曲する補強プレートと、
を有し、
前記反りプレートは、
前記補強プレートの一方の端部を保持する保持部と、
前記補強プレートの他方の端部側の前記反りプレートに対する移動を許容する非干渉部と
を有することを特徴とする。
【０００９】
本発明の他の特徴は、以下に述べる発明を実施するための形態並びに添付の図面から一層明らかになるであろう。
【発明の効果】
【００１０】
本願発明によれば、前記反りプレートは、前記補強プレートの一方の端部を保持する保持部と、前記補強プレートの他方の端部側の前記反りプレートに対する移動を許容する非干渉部とを有することで、反りプレートと補強プレートとは湾曲時に相対移動が可能となる。このため、反りプレートと補強プレートとは、弾性率の差を相対移動で吸収しつつ、追従して湾曲する。
【００１１】
よって、反りプレートが湾曲変形した際に、打音が発生しない。
【００１２】
本発明の他の効果は、以下に述べる発明を実施するための形態並びに添付の図面から一層明らかになるであろう。
【図面の簡単な説明】
【００１３】
【図１】実施形態のランバーサポート装置の分解斜視図である。
【図２】実施形態のランバーサポート装置が設けられたシートバックを説明する斜視図である。
【図３】図２の矢印III方向から見た斜視図である。
【図４】本実施形態のランバーサポート装置の反りプレートがシート着座者の背部を押圧する方向に変形した状態での斜視図である。
【図５】図４の矢印V方向から見た斜視図である。
【図６】図１の反りプレートの側面を示す図である。
【図７】図１の駆動機構の作動を説明する図である。
【図８】図１の反りプレートと補強プレートとの保持を説明する図である。
【図９】図１のベースプレート、フィッシュマウスばね、ビッグワイヤとの取り付けを説明する斜視図である。
【図１０】図９の矢印Ｘ方向から見た斜視図である。
【図１１】図１に示す反りプレートとビッグワイヤとの取り付けを説明する斜視図である。
【発明を実施するための形態】
【００１４】
最初に、図１−図３を用いて本実施形態のランバーサポート装置が設けられたシートのシートバックを説明する。図１は実施形態のランバーサポート装置の分解斜視図、図２は実施形態のランバーサポート装置が設けられたシートバックを説明する斜視図、図３は図２の矢印III方向から見た斜視図である。
【００１５】
図１−図３において、矢印Ｆ方向はシートバックの表側方向（シートバックの着座者の背面と対向する側方向）を示し、矢印Ｂ方向はシートバックの裏側方向を示している。
【００１６】
図１、図２において、まず、着座者の背部を支持するシートバックフレーム１を説明する。本実施形態のシートバックフレーム１は、メインフレームと、ビッグワイヤとからなっている。
【００１７】
メインフレームは、一対の右フレーム１ａ、左フレーム１ｂを有している。更に、右フレーム１ａと左フレーム１ｂの上部には、両者を橋渡しするようにアッパフレーム１ｃが設けられる。このアッパフレーム１ｃは、水平方向に延出する基部１ｄと、基部１ｄの一方の端部から折曲され右フレーム１ａの上部に接続される第１垂直部１ｅと、基部１ｄの他方の端部から折曲され左フレーム１ｂの上部に接続される第２垂直部１ｆとからなっている。アッパフレーム１ｃの第１垂直部１ｅの中間部と第２垂直部１ｆの中間部とを橋渡しするようにサブアッパフレーム１ｇが設けられる。そして、右フレーム１ａと左フレーム１ｂの下部で、両者を橋渡しするように、ロアフレーム１ｈが設けられる。
【００１８】
シートフレーム１のサブアッパフレーム１ｇ、ロアフレーム１ｈのシートバックの表側には、断面形状が円形のばね材を折り曲げてなり、着座者の背面を支持する略Ｕ字形のビッグワイヤ（サブフレーム：シートバックフレームと共に着座者の背面を支持する部材）７が配置される。本実施形態のビッグワイヤ７は、上方に位置し、上下方向に延出する一対のアッパ上下方向延出部７ａ、７ｂと、上下方向の中間に位置し、アッパ上下方向延出部７ａ、７ｂの間隔より狭いミドル上下方向延出部７ｃ、７ｄと、下方に位置し、ミドル上下方向延出部７ｃ、７ｄの間隔より狭いロア上下方向延出部７ｈ、７ｉとを有している。アッパ上下方向延出部７ａ、７ｂ，ミドル上下方向延出部７ｃ、７ｄ，ロア上下方向延出部７ｈ、７ｉは着座者の背骨に対応する位置を中心に互いに線対称となるように配置される。
【００１９】
アッパ上下方向延出部７ａ、７ｂの各下端部と、ミドル上下方向延出部７ｃ、７ｄの各上端部とは、傾斜部７ｅ、７ｆとで接続されている。ロア上下方向延出部７ｈの下端部とロア上下方向延出部７ｉの下端部とは、橋渡し部７ｇで接続されている。
【００２０】
そして、ミドル上下方向延出部７ｃ、７ｄの各下端部と、ロア上下方向延出部７ｈ、７ｉの各上端部とは、水平方向に延びる水平部７ｊ、７ｋとで接続されている。
【００２１】
ビッグワイヤ７のアッパ上下方向延出部７ａは、サブアッパフレーム１ｇのシートバックの表側に取り付けられた円筒状のクリップ３を挿通している。また、ビッグワイヤ７のアッパ上下方向延出部７ｂは、サブアッパフレーム１ｇに取り付けられた円筒状のクリップ５を挿通している。
【００２２】
ビッグワイヤ７の下部のシートバックの裏側には、駆動機構９が設けられるベースプレート１１が取り付けられる。尚、駆動機構９の詳細は後述する。
【００２３】
ビッグワイヤ７の橋渡し部７ｇは、フィッシュマウスばね１３を介して、シートバックフレーム１のロアフレーム１ｈに接続される。
【００２４】
フィッシュマウスばね１３は、シートバックフレーム１のロアフレーム１ｈに、形成された２つの切り起こし係止片１５、１７によって、ロアフレーム１ｈに取り付けられる基部１３ａ、１３ｂを有している。切り起こし片１５、１７の間隔は、ビッグワイヤ７のロア上下方向延出部７ｈ、７ｉの間隔より広く設定されている。そして、フィッシュマウスばね１３は、基部１３ａ、１３ｂのシートバックフレーム１の右フレーム１ａ、左フレーム１ｂ側の端部から上方に延出する立ち上がり部１３ｃ、１３ｄと、立ち上がり部１３ｃ、１３ｄの先端部から折曲して、ビッグワイヤ７のロア上下方向延出部７ｈ、７ｉに向かって延出する基部対向部１３ｅ、１３ｆと、基部対向部１３ｅ、１３ｆの先端部から折曲してビッグワイヤ７の橋渡し部７ｇに向かって延出するトーションアーム部１３ｇ、１３ｈと、トーションアーム部１３ｇ、１３ｈの先端部を橋渡しし、ビッグワイヤ７の橋渡し部７ｇに沿って延出する取付部１３ｉとを有している。更に、取付部１３ｉの中央部分には、取付部１３ｉの延出方向と交差するアーム部１３ｋ、１３ｌと、アーム部１３ｋ、１３ｌの先端部を橋渡しする段差部１３ｊが形成されている。
【００２５】
即ち、フィッシュマウスばね１３は、基部１３ａ、１３ｂと、立ち上がり部１３ｃ、１３ｄと、基部対向部１３ｅ、１３ｆとが、トーションアーム部１３ｇ、１３ｈの固定された基端部となり、取付部１３ｉがトーションアーム部１３ｇ、１３ｈの先端部に相当する。
【００２６】
次に、図９、図１０を用いて、ベースプレート１１と、ビッグワイヤ７と、フィッシュマウスばね１３との取り付けを説明する。図９は図１のベースプレート、フィッシュマウスばね、ビッグワイヤとの取り付けを説明する斜視図、図１０は図９の矢印Ｘ方向から見た斜視図である。
【００２７】
ベースプレート１１の側部には、水平方向に延出するサイドかしめ部１１ａが各側部に２つ、計４つ形成されている。このサイドかしめ部１１ａは、ビッグワイヤ７のロア上下方向延出部７ｈ、７ｉを巻き込むようにかしめられることにより、ベースプレート１１とビッグワイヤ７のロア上下方向延出部７ｈ、７ｉとが取り付けられる。
【００２８】
ベースプレート１１の下部には、下方に延出するロアかしめ部１１ｂが２つ形成されている。このロアかしめ部１１ｂは、ビッグワイヤ７の橋渡し部７ｇとフィッシュマウスばね１３の取付部１３ｉを巻き込むようにかしめられることにより、ベースプレート１１とビッグワイヤ７の橋渡し部７ｇとフィッシュマウスばね１３の取付部１３ｉとが取り付けられる。
【００２９】
ビッグワイヤ７のロア上下方向延出部７ｈ、７ｉのシートバックの表側には、樹脂でなり、略板状の反りプレート２３が配設されている。この反りプレート２３は、駆動機構９により、湾曲の度合いが変えられるようになっている。
次に、図１１を用いて反りプレート１１の上部と、ビッグワイヤ７との取り付けを説明する。図１１は図１に示す反りプレートとビッグワイヤとの取り付けを説明する斜視図である。反りプレート２３の湾曲する部分である本体２３ａの上部には、ビッグワイヤ７の水平部７ｊ、７ｋに回転可能に係合するヒンジ部２３ｂが一体的に形成されている。
【００３０】
ヒンジ部２３ｂは、開口を有し、シートバックの幅方向に延出し、ビッグワイヤ（シートバックフレーム）７の水平部７ｊ、７ｋが挿入される溝２３ｄが形成されたヒンジ本体部２３ｅと、弾性を有し、本体部２３ａから突出し、空間を介して溝２３ｄの開口と対向する片持ち状の抜け止め部２３ｆとからなっている。
【００３１】
本実施形態では、抜け止め部２３ｆのヒンジ本体部２３ｅとの対向面と、ヒンジ本体部２３ｅの溝２３ｄの開口との間隔をビッグワイヤ７の径（上下方向の厚さ）以上とした。更に、抜け止め部２３ｆの先端部には、ヒンジ本体部２３ｅ方向に突出し、先端部とヒンジ本体部２３ｅとの間隔がビッグワイヤ７の径（上下方向の厚さ）未満となるような凸部２３ｇを形成した。
【００３２】
よって、ビッグワイヤ７の水平部７ｊ，７ｋに反りプレート２３のヒンジ部２３ｂを取り付ける際に、ビッグワイヤ７の水平部７ｊ、７ｋをヒンジ部２３ｂの抜け止め部２３ｆの先端部に押しつけ、抜け止め部２３ｆの先端を上方にたわませることにより、凸部２３ｇとヒンジ本体部２３ｅとの間隔がビッグワイヤ７の径以上になり、ビッグワイヤ７の水平部７ｊ、７ｋの外部から溝２３ｄへの挿入が許可される。また、自然状態では、抜け止め部２３ｆの凸部２３ｇとヒンジ本体部２３ｅとの間隔がビッグワイヤ７の径（上下方向の厚さ）未満であるので、ビッグワイヤ７の水平部７ｊの溝２３ｄから外部への離脱が禁止される。
次に、図１−図５、図７，図９−図１０を用いて、駆動機構の説明を行う。図４は本実施形態のランバーサポート装置の反りプレートがシート着座者の背部を押圧する方向に変形した状態での斜視図、図５は図４の矢印V方向から見た斜視図、図７は図１の駆動機構の作動を説明する図である
ベースプレート１１におけるシートバックの表側の中央部には、上下方向に延出する第１立壁部５１と、第１立壁部５１と平行な第２立壁部５３と、第１立壁部５１と第２立壁部５３とを橋渡しする橋渡し部５６とが形成されている。第１立壁部５１には、上下方向に延出する第１ガイド穴５１ａが形成され、第２立壁部５３にも上下方向に延出し、第１ガイド穴５１ａと対向する第２ガイド穴５３ａ（図５参照）が形成されている。
【００３３】
第１立壁部５１の下端面、第２立壁部５３の下端面は、ビッグワイヤ７の橋渡し部７ｇに当接する当接部５１ｄ、５３ｄとなっている。
【００３４】
また、第１立壁部５１、第２立壁部５３の下部には、フィッシュマウスばね１３の段差部１３ｊが係合する第１凹部５１ｃ、第２凹部５３ｃが形成されている。これにより、フィッシュマウスばね１３の取付部１３ｉ及び基部対向部１３ｅ、１３ｆ（基端部）を軸とする回転が禁止されている。
第１立壁部５１の上部はシートバックフレーム１の右フレーム１ａ方向に折曲され、第１ギヤボックス取付部５１ｂが形成されている。第２立壁部５３の上部はシートバックフレーム１の左フレーム１ｂ方向に折曲され、第２ギヤボックス取付部５３ｂが形成されている。
【００３５】
第１ギヤボックス取付部５１ｂ、第２ギヤボックス取付部５３ｂには、締結ねじ５５、５７を用いてギヤボックス５９が取り付けられる。ギヤボックス５９にはモータ６１が一体的に取り付けられている。このギヤボックス５９内には、内面にめねじが形成された穴を有するナット部材が回転可能に設けられている。そして、このナット部材はモータ６１により回転されるようになっている
外面におねじが形成されたねじ棒６３は、第１立壁部５１と第２立壁部５３との間の空間に配置されると共に、ギヤボックス５９内のナット部材に螺合している。このねじ棒６３のギヤボックス５９から外部に出た部分には、ワッシャ５２が嵌合し、更にストッパナット５４が螺合している。
【００３６】
また、ベースプレート１１の下部中央には、第１立壁部５１と第２立壁部５３と橋渡し部５６とで構成され、シートバックの表面方向に突出し、着座者の骨盤を支持可能な凸部５８が形成されている。
【００３７】
反りプレート２３の下部中央部には、ベースプレート１１の凸部５８との干渉を防ぐ切り欠き２３ｈが形成されている。反りプレート２３の下部で、切り欠き２３ｈ以外の部分には、反りプレートの２３の幅方向全域に渡る取付部２３ｉが形成されている。
【００３８】
取付部２３ｉには、反りプレート２３の幅方向に延出する穴２３ｊが形成されている。本実施形態では、穴２３ｊの断面形状を長穴状とした。ねじ棒６３の下部には、ねじ棒６３の軸と直交する穴６３ａが形成され、この穴６３ａにロッド（ピン：取付部材）６５が嵌合している。本実施形態では、穴６３ａの内径は、ロッド６５の外径より大きく設定し、穴６３ａとロッド６５との間には、弾性ブッシュ６６が圧入されている。このロッド６５は、凸部５８の第１立壁部５１の第１ガイド穴５１ａ、第２立壁部５３の第２ガイド穴５３ａを通り、反りプレート２３の取付部２３ｉの穴２３ｊに遊嵌している。即ち、ロッド６５と反りプレート２３の下部との接続は、ヒンジ接続となっている。
【００３９】
このため、ねじ棒６３は、軸周りの回転が禁止され、軸（第１ガイド穴５１ａ、第２ガイド穴５３ａ）に沿う移動は可能となっている。モータ６１を駆動すると、ギヤボックス５９内のナット部材が回転する。ナット部材に螺合するねじ棒６３は、第１ガイド穴５１ａ、第２ガイド穴５３ａに沿って移動する。そして、反りプレート２３の下部も第１ガイド穴５１ａ、第２ガイド穴５３ａに沿って、昇降する。
【００４０】
従って、ナット部材を有するギヤボックス５９、ギヤボックス５９内のナット部材を回転駆動するモータ６１、ギヤボックス５９内のナット部材に螺合するねじ棒６３、ねじ棒６３と反りプレート２３の下部を連結するロッド６５と、ロッド６５が挿通する第２立壁部５３の第２ガイド穴５３ａ、第１立壁部５１の第１ガイド穴５１ａとで、駆動機構９が構成されている。
【００４１】
次に、図１、図３、図５、図６、図８、図１１を用いて補強プレートの説明を行う。図６は図１の反りプレートの側面を示す図、図８は図１の反りプレートと補強プレートとの保持を説明する図である。
【００４２】
反りプレート２３の裏面には、上下方向に延びる帯状の２枚の補強プレート１０１が設けられる。補強プレート１０１の下部には、矩形の穴１０１ａが形成されている。反りプレート２３の下部には、補強プレート１０１の穴１０１ａに係合する凸部２３ｌが形成されている。更に、反りプレート２３の下部には、補強プレート１０１の下部端面と対向する基部２３ｍと、基部２３ｍの先端部から折曲し、補強プレート１０１の下部の上面に対向する折曲部２３ｎからなる保持凸部２３ｏが形成されている。
【００４３】
補強プレート１０１の穴１０１ａに係合する凸部２３ｌと、保持凸部２３ｏとで構成される保持部により、補強プレート１０１の下部は、反りプレート２３に保持されている。
【００４４】
更に、反りプレート２３の裏面には、補強プレート１０１の周面を空間を介して覆い、補強プレート１０１の反りプレート２３に対する上下方向の移動を許容する非干渉部としての２つガイド２３ｐと１つのガイド２３ｑが形成されている。
【００４５】
次に、図２−図５、図７を用いて上記構成の作動を説明する。
【００４６】
図２−図３に示す状態は、ねじ棒６３が下方に位置し、反りプレート２３の湾曲の度合いが小さく、シート着座者の背部を押圧する方向にほとんど変形していない状態である。
【００４７】
この状態から、モータ６１を一方の方向へ回転駆動させると、ギヤボックス５９内のナット部材が一方の方向へ回転し、図７に示すように、ねじ棒６３が上昇する。そして、反りプレート２３の上部は、ヒンジ部２３ｂにより、上昇、下降が禁止されているので、図４−図５に示すように、反りプレート２３の下部が上昇し、反りプレート２３が大きく湾曲し、シート着座者の背部を押圧する。
【００４８】
また、図４−図５に示す状態から、モータ６１を他方の方向へ回転駆動させると、ギヤボックス５９内のナット部材が他方の方向へ回転し、ねじ棒６３が下降し、反りプレート２３の湾曲の度合いが小さくなり、シート着座者の背部を押圧する方向の変形量が減少する。
【００４９】
尚、反りプレート２３が湾曲する際に、反りプレート２３の取付部２３ｉは、ベースプレート１１に摺接する。本実施形態では、図７に示すように、反りプレート２３の取付部２３ｉの摺接面２３ｒを円弧面とした。
【００５０】
また、本実施形態のベースプレート１１の凸部５８は、反りプレート２３の下部が上昇した際に、着座者の骨盤を支持する骨盤支持部として機能する。
【００５１】
上記構成によれば、以下のような効果が得られる。
【００５２】
(1) 反りプレート２３は、補強プレート１０１の穴１０１ａに係合する凸部２３ｌと、保持凸部２３ｏとで構成される保持部と、２つガイド２３ｐと１つのガイド２３ｑとでなり、反りプレート２３に対する上下方向の移動を許容する非干渉部とを有することで、反りプレート２３と補強プレート１０１とは湾曲時に相対移動が可能となる。このため、反りプレート２３と補強プレート１０１とは、弾性率の差を相対移動で吸収しつつ、追従して湾曲する。
【００５３】
よって、反りプレート２３が湾曲変形した際に、打音が発生しない。
【００５４】
尚、本発明は上記実施形態に限定するものではない。上記実施形態では、シートバックフレーム１に上部が回転可能に支持され、下部が上下方向に移動し、シート着座者の背部を押圧する方向に変形可能な反りプレート２３を用いたが、シートバックフレーム１に下部が回転可能に支持され、上部が上下方向に移動し、シート着座者の背部を押圧する方向に変形可能な反りプレートであってもよい。
【００５５】
また、上記実施形態では、駆動機構９はモータ６１を用いたが、手動であってもよい。
【符号の説明】
【００５６】
７  ビッグワイヤ（シートバックフレーム）
７ｊ、７ｋ  水平部
９    駆動機構
２３  反りプレート
２３ｌ  凸部
２３ｃ  保持凸部
２３ｐ、２３ｑ  ガイド
１０１  補強プレート
【図１】
2014094597.tif 000003
【図２】
2014094597.tif 000004
【図３】
2014094597.tif 000005
【図４】
2014094597.tif 000006
【図５】
2014094597.tif 000007
【図６】
2014094597.tif 000008
【図７】
2014094597.tif 000009
【図８】
2014094597.tif 000010
【図９】
2014094597.tif 000011
【図１０】
2014094597.tif 000012
【図１１】
2014094597.tif 000013